(57)【要約】【課題】生体信号を測定する場合に被検査者の使用形態に柔軟に対応でき、簡易な操作による測定と、測定した生体信号データの取扱いを容易にする生体信号転送装置を提供する。【解決手段】生体信号を測定するセンサユニットと通信機能を有する通信ユニットで構成し、センサユニットは通信ユニットと接続・未接続のいづれの場合であっても生体信号の測定が可能で、単体で測定した場合、センサユニットの接続を検知する接続検知手段と、電力の供給を制御する電力制御手段とを備える通信ユニットにセンサユニットを接続するだけで電源切断状態もしくは電源待機状態にある通信ユニットを電源起動状態にし、センサユニット内へ取込まれている生体信号データを通信ユニットへ送出し、通信ユニットから遠隔医療機関へ生体信号データを転送することができる。【選択図】図１
2007037822.tif 000002
【特許請求の範囲】
【請求項１】
センサユニットの接続を検知するユニット接続検知手段と、
電力の供給を制御する電力制御手段と、
センサユニットと接続するインタフェース手段と、
を備える通信ユニットと、
前記通信ユニットと接続するインタフェース手段を備えるセンサユニットと、
で構成し、
前記インタフェース手段で接続される前記センサユニットの接続を前記ユニット接続検知手段で検知して、電源切断状態もしくは電源待機状態にある前記通信ユニットを前記電力制御手段により電源起動状態にすることを特徴とする生体信号転送装置。
【請求項２】
測定した生体信号データを格納する記憶手段と、
ユニットの制御を司る制御手段と、
を更に設けたセンサユニットと、
受信した生体信号データを格納する記憶手段と、
ユニットの制御を司る制御手段と、
を更に設けた通信ユニットと、
で構成し、
前記センサユニットと前記通信ユニットが接続されると、前記センサユニットに格納している生体信号データを前記センサユニットの制御手段により前記通信ユニットへ送出し、該送出された生体信号データは前記通信ユニットの制御手段により前記通信ユニットの記憶手段へ格納することを特徴とする請求項１の生体信号転送装置。
【請求項３】
生体信号データを測定するためのパラメータを入力する入力手段と、
を更に設けた通信ユニットと、
センサユニットと、
で構成し、
前記通信ユニットと前記センサユニットとが接続されている場合に、前記通信ユニットの前記入力手段から入力するパラメータを前記センサユニットへ設定できることを特徴とする請求項１または請求項２記載の生体信号転送装置。
【請求項４】
生体信号データを測定する測定手段と、
前記通信ユニットと接続するインタフェース手段と、
ユニットの制御を司る制御手段と、
を備えるセンサユニットと、
前記センサユニットと接続するインタフェース手段と、
前記生体信号データを格納する記憶手段と、
ユニットの制御を司る制御手段と、
を備える通信ユニットと
で構成し、
前記センサユニットと前記通信ユニットが前記インタフェース手段で接続されている場合、前記測定手段で測定した前記生体信号データを、前記センサユニットの前記制御手段を介して送出し、前記通信ユニットの前記制御手段で受信した後、前記記憶手段へ格納することを特徴とする生体信号転送装置。
【請求項５】
前記生体信号データを通信回線に適合するデータ形式に変換するデータ形式変換手段と、
前記通信回線に前記生体信号データを送信するインタフェース手段と、
を更に設けた通信ユニットと、
センサユニットと、
で構成し、
データ形式変換手段で前記生体信号データを通信回線に適合する形式に変換し、前記インタフェース手段を介して前記通信回線に送信することを特徴とする請求項１から請求項４のいずれかに記載の生体信号転送装置。
【発明の詳細な説明】
【技術分野】
【０００１】
本発明は生体信号を測定し、測定した生体信号を通信回線を介して医療機関等へ転送する生体信号転送装置に関するものである。
【背景技術】
【０００２】
従来の生体信号転送装置は、図８に示すように主制御装置８０２が動作／停止いずれの状態であるかを状態出力部８１２が出力し、副制御装置８０３の状態判定部８１５はその信号を受け、状態制御部８１７は状態判定部による判定と電源スイッチ８１６からの入力により、電源スイッチが操作されたときに主制御装置が停止状態であれば起動制御部８１９が主制御装置を起動させ、電源スイッチが操作されたときに主制御装置が動作状態であれば停止制御部８２０が主制御装置を停止させる。このように主制御装置の起動と停止を副制御装置から別々に制御でき、使用者の単純な操作で確実に起動／停止できるとしている（例えば、特許文献１参照）。
【特許文献１】特開２００２−１１２９７１号公報（第３頁、第１図）
【発明の開示】
【発明が解決しようとする課題】
【０００３】
しかしながら、従来の生体信号転送装置は生体信号を測定する場合、センサを装着しても副制御装置の電源スイッチを操作しなければ生体信号の測定はできない。また、例えば最近の血糖計などは一般的に血糖計を単独に稼動して測定可能で、測定した血糖値データを血糖計自身に蓄積することができる。蓄積したデータを例えば専門医の診断を得るべく通信回線を介して特定の医療機関へ送信したい場合でも副制御装置が稼動状態にないと血糖計を接続しても血糖計内部に蓄積した生体信号データを読み出すこともできないし、もちろん通信回線を介して医療機関へ送信することもできない。
【０００４】
この場合、使用者は測定が終わったら、血糖計を通信装置に接続して、通信装置の電源スイッチを操作して電源を投入し、装置が稼動状態になってから血糖計に格納してある生体信号データを通信装置に取り込む操作を行い、それから医療機関へ送信するための操作を行う必要がある。
【０００５】
従って、従来の生体信号転送装置は、機器操作に不慣れで、かつ指先での細かい作業が不自由な使用者に対しても同じように、前述の手順に沿った面倒な操作をしなければならないという問題があった。
【０００６】
本発明は、従来の問題を解決するためになされたもので、通信機能を有する通信ユニットに生体信号を測定するセンサユニットを接続すれば、通信ユニットを自動的に起動し、センサユニットに格納している生体信号データを通信ユニットに自動的に取り込むことができ、通信回線を介して予め指定する医療機関へ生体信号データを送信できる生体信号転送装置を提供することを目的とする。
【課題を解決するための手段】
【０００７】
本発明の生体信号転送装置は、センサユニットの接続を検知するユニット接続検知手段と、電力の供給を制御する電力制御手段と、センサユニットと接続するインタフェース手段とを備える通信ユニットと、通信ユニットと接続するインタフェース手段を備えるセンサユニットとで構成して、インタフェース手段で接続されるセンサユニットの接続をユニット接続検知手段で検知して、電源切断状態もしくは電源待機状態にある通信ユニットを電力制御手段により電源起動状態にする。
【０００８】
この構成により、使用者は単にセンサユニットを通信ユニットに接続するだけで通信ユニットを電源起動状態に立ち上げることができ、操作の簡単化が図れる。
【０００９】
また、本発明の生体信号転送装置は、測定した生体信号データを格納する記憶手段と、ユニットの制御を司る制御手段と、を更に設けたセンサユニットと、受信した生体信号データを格納する記憶手段と、ユニットの制御を司る制御手段と、を更に設けた通信ユニットと、で構成し、センサユニットと通信ユニットが接続されると、センサユニットに格納している生体信号データをセンサユニットの制御手段により通信ユニットへ送出し、該送出された生体信号データは通信ユニットの制御手段により通信ユニットの記憶手段へ格納する。
【００１０】
この構成により、単にセンサユニットを通信ユニットに接続するだけでセンサユニットと通信ユニットは相互の通信を確立することから、使用者は煩わしい操作をすることなく測定した生体信号データをセンサユニットから通信ユニットへ移送し、一元管理することができる。
【００１１】
また、本発明の生体信号転送装置は、生体信号データを測定するためのパラメータを入力する入力手段と、を更に設けた通信ユニットと、センサユニットと、で構成し、通信ユニットとセンサユニットとが接続されている場合に、通信ユニットの入力手段から入力するパラメータをセンサユニットへ設定できる。
【００１２】
この構成により、生体信号データを測定する場合に被検査者の使用形態に柔軟に対応できることから利便性の向上が図れる。
【００１３】
また、本発明の生体信号転送装置は、生体信号データを測定する手段と、通信ユニットと接続するインタフェース手段と、ユニットの制御を司る制御手段と、を備えるセンサユニットと、センサユニットと接続するインタフェース手段と、生体信号データを格納する記憶手段と、ユニットの制御を司る制御手段と、を備える通信ユニットとで構成し、センサユニットと通信ユニットがインタフェース手段で接続されている場合、測定手段で測定した生体信号データを、センサユニットの制御手段を介して送出し、通信ユニットの制御手段で受信した後、通信ユニットの記憶手段へ格納する。
【００１４】
この構成により、センサユニットは通信ユニットと一体化して使用することが可能になることから被検査者の使用形態に拡張性を与えることができる。また、通信ユニットが接続していれば、生体信号データは、一元的に通信ユニットへ格納されることから、生体信号データの取扱いを容易にする。
【００１５】
また、本発明の生体信号転送装置は、生体信号データを通信回線に適合するデータ形式に変換するデータ形式変換手段と、通信回線に生体信号データを送信するインタフェース手段とを更に設けた通信ユニットと、センサユニットと、で構成し、データ形式変換手段で生体信号データを通信回線に適合する形式に変換し、インタフェース手段を介して通信回線に送信する。
【００１６】
この構成により、測定した生体信号データは専門医の診断を通して、より適切に健康作りに役立てることが可能になる。
【発明の効果】
【００１７】
本発明は、センサユニットを通信ユニットに接続することで電源切断状態もしくは電源待機状態にある通信ユニットを電源起動状態に立ち上げ、さらにセンサユニット内に格納している生体信号データを通信ユニットへ自動的に移送することから操作の簡単化が図れる。さらにセンサユニットと通信ユニットが接続されている場合に、生体信号データの測定は通信ユニットからパラメータ入力も可能で、被検査者の使用形態に拡張性と柔軟性を与えることができる。また、生体信号データは通信ユニットで一元的に管理し、予め指定した医療機関等へ自動的に送信できることから測定した生体信号データの取扱いを容易にする。
【発明を実施するための最良の形態】
【００１８】
以下、本発明を実施するための最良の形態について、図面を参照しながら説明する。尚、全図を通じて同一符号は同一対象物を表す。
【００１９】
（実施の形態１）
図１は、本発明の第１の実施の形態における生体信号転送装置の構成図である。図１において、生体信号転送装置１１０はセンサユニット１１１と通信ユニット１１２で構成する。センサユニット１１１は個別に蓄電池を内蔵し、通信ユニット１１２と切り離して単独で生体信号被検査者１００の生体信号を測定することができ、測定した生体信号データは内蔵するメモリへ所定の形式で格納する。
【００２０】
通信ユニット１１２はセンサユニット１１１を非検査者１００によって接続されると、該接続を検知して非稼動状態から稼動状態に起動される。そして起動後、通信ユニット１１２はセンサユニット１１１から発信する繰り返し信号を受信処理することによりセンサユニット１１１との間の通信を確立し、そしてセンサユニット１１１に通信ユニット１１２へ移送すべき生体信号データを格納している場合、センサユニット１１１は生体信号データの通信ユニット１１２への移送を開始する。
【００２１】
通信ユニット１１２は受信した生体信号データを通信回線に適合するデータ形式に変換して、通信回線網１２０を介して予め登録している医療機関１３０へ転送する。
【００２２】
以上の生体信号転送装置について、図２から図６を用いてさらに詳細を説明する。最初に、センサユニット単独で生体信号を測定するケースでセンサユニットの構成と動作を説明し、その次に通信ユニットとセンサユニットを接続するケースで通信ユニットの構成と生体信号転送装置の動作を説明する。以降、測定対象生体信号は血糖値としてより具体的に説明する。
【００２３】
図２はセンサユニットの機能ブロック図を示す。センサユニット１１１は生体信号測定のための部材である測定電極２０１、測定電極２０１の着脱が可能な生体信号を測定する手段である測定部２１０、測定電極２０１の着脱を検知する電極検知部２１１、測定した生体信号データを格納する記憶手段であるセンサユニットメモリ部２１３、記憶手段に格納されている生体信号データの有無を示す生体信号データ格納検知部２１４、通信ユニットと接続するインタフェース手段である通信ユニットインタフェース部２３０、通信ユニットとの接続の状態を検知する接続状態検知部２２０、ユニットの制御を司る制御手段であるセンサユニット制御部２１２、使用者へ表示する表示部２１６、使用者が操作し指示入力する操作部２１７、で構成される。
【００２４】
次に血糖値の測定手順とセンサユニットの動作フローを説明する。図３はセンサユニット１１１で血糖値を測定する場合の手順およびセンサユニット１１１の動作シーケンスを示す図である。血糖値の測定は、まず最初に測定のための準備として生体信号被検査者１００から微少量の血液を測定電極２０１へ採取し、血液滴が付着する測定電極２０１を測定部２１０へ装着（Ｓ３０１）することにより開始される（Ｓ３０１のＹ）。
【００２５】
測定は測定部２１０で行われ（Ｓ３０２）、測定が終了すると（Ｓ３０３）、血糖値データはセンサユニット制御部２１２で生成された測定現在日時データとともに表示部２１６に表示されて被検査者１００へ伝達される（Ｓ３０４）。またこのときセンサユニット制御部（２１２）は測定条件の入力を要求する表示を行い、被検査者の測定時の状態入力を促す（Ｓ３０５）。
【００２６】
即ち、血糖値の測定時が食前か食後の場合で、医学的に区別する必要がある。一例を挙げると、空腹時１４０mg／dl以上、食後２時間時２００mg／dl以上、は医学的には“異常な状態”と分類され、速やかな医療行為が必要とされているレベルである。また空腹時１２０mg／dl以上１４０mg／dl未満と食後２時間時１７０mg／dl以上２００mg／dl未満は医学的には“要指導状態”と分類され、緊急性はないものの適切な管理が求められるレベルであるとされている。
【００２７】
また空腹時１２０mg／dl未満、食後２時間時１７０mg／dl未満については“異常なし”と一般的に分類されている。（出展；日本糖尿病学会  糖尿病  ４５巻Supplement1（2002））このことから上記測定時の状態を被検査者に確認する。
【００２８】
測定条件の入力要求に対して被検査者１００は操作部２１７を操作して応答する。食前（空腹時）の測定である応答を受けた場合（Ｓ３０７）、センサユニット制御部２１２は測定血糖値を１４０mg／dl以上、１４０mg／dl未満１２０mg／dl以上、１２０mg／dl未満に分類する解析を行い、一方、食後（食後２時間）での測定である応答を受けた場合（Ｓ３０８）、センサユニット制御部２１２は測定血糖値を２００mg／dl以上、２００mg／dl未満１７０mg／dl以上、１７０mg／dl未満に分類する解析を行う。
【００２９】
解析結果は入力された測定条件とともに表示部２１６へ表示する。表示されたすべてのデータはセンサユニットメモリ部２１３へ格納されて（Ｓ３０９）、最後に測定電極を測定部から除去して血糖値の測定を終了する（Ｓ３９０）。
【００３０】
図４はセンサユニットメモリ部２１３に格納された生体信号データの構成の一例を示す図である。生体信号データ４１０はＩＤ４１０ａ、測定日時４１０ｂ、測定値４１０ｃ、測定条件４１０ｄ、判定結果４１０ｅ、移送済み４１０ｆから構成している。
【００３１】
ＩＤ４１０ａには被検査者を特定するために、例えば予め登録している非検査者１００の名前や非検査者に割り振られている番号を格納する。測定日時４１０ｂには、測定した日時を特定するための、例えば測定を開始した日時を格納し、測定値４１０ｃには測定した血糖値データを格納する。
【００３２】
測定条件４１０ｄには被検査者１００が測定条件の入力要求に対して応答した結果が格納される、例えば食前（空腹時）とする応答の場合は“０”、食後（食後２時間）の測定とする応答の場合は“１”を格納する。判定結果４１０ｅには測定で得られた血糖値データを測定条件で解析した結果が入る、即ち、前述した“異常な状態”、“要指導状態”、“異常なし”を例えば、“異常な状態”を“Ａ”、“要指導状態を“Ｂ”、“異常なし”を“Ｃ”として格納する。移送済み４１０ｆには生体信号データ４１０を後述する通信ユニットへの移送履歴を格納する、即ち、移送済みの生体信号データ４１０は“１”を格納し、まだ移送されてない生体信号データ４１０には“０”を格納し区別する。
【００３３】
生体信号の測定は生体信号被検査者１００から微少量の血液を測定電極２０１へ採取し、血液滴が付着する測定電極２０１を測定部２１０へ装着することから開始して、入力された測定条件をもとに測定データを解析して、その判定結果とともに上記項目でなる生体信号データ４１０が測定ごとにメモリ部２１３へ格納されていく。
【００３４】
次に、通信ユニット１１２とセンサユニット１１１を接続するケースで通信ユニット１１２の構成と生体信号転送装置１１０の動作を説明する。図５に通信ユニット１１２の機能ブロックを示す。
【００３５】
通信ユニット１１２はセンサユニット１１１と接続するインタフェース手段であるセンサユニットインタフェース部３１０、センサユニット１１１の接続を検知するユニット接続検知手段であるユニット接続検知部３２０、電力の供給を制御する電力制御手段である電力制御部３２１、ユニットの制御を司る制御手段である通信ユニット制御部３１１、受信した生体信号データを格納する記憶手段である通信ユニットメモリ部３１２、受信した生体信号データを通信回線に適合するデータ形式に変換するためのデータ形式変換手段であるデータ形式変換部３３０、通信回線に生体信号データを送信するためのインタフェース手段である通信回線インタフェース部３３１、から構成する。
【００３６】
一方、センサユニット１１１と通信ユニット１１２間の接続は構造的に凹凸関係にあるコネクタをそれぞれのユニットに片方ずつ取り付けた構成で、接続はケーブルを介することなく前記コネクタを直接的に嵌合する形式でも、接続ケーブルを介した構成でもよい。
【００３７】
また、ユニット間の接続は通信ユニットインタフェース部２３０とセンサユニットインタフェース部３１０が相互に接続されて信号の送受信が可能になる。
【００３８】
次に動作フローを説明する。図６は通信ユニット１１２とセンサユニット１１１とが相互に関係して動作することを示す動作シーケンス図である。
【００３９】
まず最初に、センサユニット１１１は通信ユニット１１２から切り離されている状態にある。被検査者１００によりセンサユニット１１１が通信ユニット１１２へ接続されると、接続状態検知部２２０は該接続を通信ユニットインタフェース部を介して検知し、接続済みを記憶し（Ｓ６０１のＹ）、電源起動処理（Ｓ６０２）を実行する。接続の検知は一般的によく使われている電気的な方法で、例えば、プルアップされて論理“Ｈ”（ハイレベル）にある特定の信号線がユニットの接続の結果、接地されて論理“Ｌ”（ローレベル）に変化することを検知する。
【００４０】
次に、センサユニット１１１は通信ユニットインタフェース部２３０から指定された信号形式、例えばパルス幅約１ミリ秒、周期０．１秒程度のパルス状の信号（以降、説明上“接続要求信号”と呼ぶ）を繰り返し出力する（Ｓ６０３）。
【００４１】
一方、通信ユニット１１２は非稼動状態でセンサユニット１１１の接続待ち状態にいる（Ｓ６５０）。被検査者１００によりセンサユニット１１１を通信ユニット１１２へ接続すると、通信ユニット１１２はユニット接続検知部３２０によって該接続を検知する。接続の検知は、例えばコネクタの嵌合に伴う機械的な作用によるスイッチ動作を検知する。
【００４２】
該スイッチ動作の結果は、またユニット接続検知部３２０を介して電力制御部３２１に対して所定の作用を及ぼす。電力制御部３２１はユニット接続検知部３２０の指示に基づき、通信ユニット１１２を稼動するために必要な電力供給の制御を行う。従って、被検査者がユニットの接続を行うと、ユニット接続部３２０のユニット接続検知を介して、電源部３２２からの電力供給が開始されて、通信ユニット１１２は起動し、初期電源起動処理が行われる（Ｓ６５１）。
【００４３】
通信ユニット１１２が立ち上がるとセンサユニット１１１から既に送られている接続要求信号の受信を受付けて（Ｓ６６０のＹ）、接続要求信号の受信処理が開始される。即ち、センサユニットインタフェース部３１０へ入力している接続要求信号をセンサユニットインタフェース部３１０で認識すると通信ユニット制御部３１１へ接続要求信号の受信を伝達する。該伝達を受けた通信ユニット制御部３１１はセンサユニットインタフェース部３１０を介してセンサユニット１１１へ受信の応答メッセージを出力する（Ｓ６６１）。
【００４４】
通信ユニットインタフェース２３０を介して通信ユニット１１２の応答メッセージがセンサユニット制御部２１２へ伝達されると（Ｓ６１０のＹ）、センサユニット制御部２１２は接続状態検知部２２０へ接続状態フラグをＯＮして接続完了状態を登録する（Ｓ６１１）。
【００４５】
次に、センサユニット１１１内に測定した生体信号データが存在するか否かを確認する（Ｓ６２１）。その結果、センサユニット１１１内に測定した生体信号データが格納させている場合（Ｓ６２１のＹ）、該生体信号データをセンサユニットメモリ部２１３から読み出して、通信ユニットインタフェース部２３０から送信する（Ｓ６２２）。
【００４６】
センサユニットインタフェース部は生体信号データの受信を通信ユニット制御部３１１へ伝達する。受信の伝達を受けた通信ユニット制御部３１１はセンサユニットインタフェース部３１０で保持している受信生体信号データを通信ユニットメモリ部３１２へ順次移送し、格納する、そして受信データの取り込み処理完了をセンサユニット１１１へ応答する（Ｓ６６２）。
【００４７】
該応答を受けてセンサユニット１１１側は次の送信すべき生体信号データを送信する処理を行う。ずべてを送信終了（Ｓ６３０のＹ）するまで送信処理を繰り返し行う（Ｓ６３０のＮ）。すべての生体信号データの送信が終了した場合には、特定のコードから成るデータを通信ユニット側へ送信し（Ｓ６２２）、測定した生体信号データの送信終了を伝達する（Ｓ６３０）。そして送信処理終了後、電源切断処理を実行する（Ｓ６３１）。
【００４８】
通信ユニット側は送信終了の特定コードから成るデータを受信するまで受信状態を維持する（Ｓ６７０のＮ）。該特定コードを受信し、すべての生体信号データの受信終了を検知すると（Ｓ６７０のＹ）通信ユニットは受信・格納した生体信号データを特定の外部医療機関１３０への送信を開始する（Ｓ６７１）。
【００４９】
即ち、受信・格納した生体信号データを通信ユニットメモリ部３１２から読み出し、データ形式変換部３３０で公衆通信回線に適合する信号形式に生体信号データを変換処理し、通信回線インタフェース部３３１から公衆通信回線１２０へ送出し、予め登録してある医療機関１３０へ測定した生体信号データを転送する。そして送信処理終了後、電源切断処理を実行する（Ｓ６７２）。
【００５０】
このような本発明の第１の実施の形態の生体信号転送装置によれば、センサユニットの接続を検知するユニット接続検知手段と電力の供給を制御する電力制御手段とセンサユニットと接続するインタフェース手段とを備える通信ユニットと通信ユニットと接続するインタフェース手段を備えるセンサユニットとで構成し、インタフェース手段を介してセンサユニットの接続を検知して通信ユニットを起動することができる。
【００５１】
また、測定した生体信号データを格納する記憶手段と記憶手段に格納されている生体信号データの有無を示す手段と通信ユニットとの接続の状態を示す手段とを備えるセンサユニットとで構成し、インタフェース手段を介してセンサユニットから通信ユニットへ接続要求信号を発信することができる。
【００５２】
また、センサユニットに格納する生体信号データを通信ユニットへ移送することができる。尚、以上の説明では、接続の検知をコネクタの接続に伴う機械的な作用によるスイッチ動作について説明したが、ユニット接続検知部３２０や電力制御部３２１を電気的にアイドリング状態にしておけば電気的な方法や磁気的な方法、光学的な方法によるユニット接続の検知も可能であることは言うまでもない。
【００５３】
（実施の形態２）
本発明の第２の実施の形態について説明する。第２の実施の形態はセンサユニットと通信ユニットとを接続している状態で、生体信号を測定し、測定した生体信号を外部医療機関へ転送する動作を説明する。
【００５４】
図５に示すように通信ユニット１１２は、計時を行う計時部３１３、被検査者がパラメータを入力する入力手段である操作部３１４、入力したパラメータを表示する表示部３１５、入力手段の入力を処理する制御手段である通信ユニット制御部３１１を備えている。一方、図２に示すセンサユニット１１１は、通信ユニット１１２のパラメータ入力を受信し、受信したパラメータを取り込んで処理する制御手段であるセンサユニット制御部２１２を備えて構成する。以上のように構成した生体信号転送装置について、図７を用いて動作を説明する。
【００５５】
図７は通信ユニット１１２とセンサユニット１１１とが接続されている状態で生体信号データを測定するケースの動作を示す動作シーケンス図である。即ち、センサユニット側は接続状態検知部２２０の接続状態フラグがＯＮされていて、接続完了状態が登録されている状態であり（Ｓ７００のＹ）、一方、通信ユニット側はユニット接続検知部３２０で接続が検知されていて、電力制御部３２１は電源部３２２の電力を通信ユニット全体へ供給している状態にある（Ｓ７５０のＹ）。
【００５６】
通信ユニット側で操作部３１４からパラメータ、例えば、現在日時を入力する（Ｓ７６０のＹ）と通信ユニット制御部３１１は計時部３１３の修正を行い、センサユニット１１１に対しても同現在日時データをセンサユニットインタフェース部を介して送信する。センサユニット側は通信ユニットインタフェース２３０で受信を検知すると、センサユニット制御部２１２へ受信を伝達する。その結果センサユニット制御部２１２は通信ユニット２３０から同受信データを取り込んで、受信したパラメータの設定を行う（Ｓ７１０）。受信したパラメータが前述の例の場合にはセンサユニットの計時部２１５の修正を行うパラメータ設定となる。
【００５７】
次に、センサユニット側で生体信号データの測定が開始された場合、即ち、生体信号被検査者１００から微少量の血液を採取した測定電極２０１が測定部２１０へ装着されると、電極検知部２１１が装着を検知し（Ｓ７２０のＹ）、該検知を通信ユニットインタフェース部２３０を介して通信ユニット側へ伝達する。センサユニットインタフェース部３１０を介して生体信号の測定開始を通信ユニット制御部３１１が検知すると（Ｓ７６５のＹ）、通信ユニット制御部３１１はセンサユニット制御部に対して測定した生体信号データをセンサユニットメモリ部２１３へ格納することなく通信ユニット側へ送出することを要求する（Ｓ７６６）。
【００５８】
測定部２１０で行われる生体信号の測定（Ｓ７２１）が終了すると、血糖値データはセンサユニット制御部２１２の制御に基づき通信ユニットインタフェース２３０を介して通信ユニット１１２側へ送出される（Ｓ７２２）。通信ユニット制御部３１１は受信した測定データを通信ユニット制御部３１１で生成した測定現在日時データとともに表示部３１５に表示して、被検査者１００へ伝達する。またこのとき通信ユニット制御部３１１は測定条件の入力を要求する表示を行い、被検査者の測定時の状態入力を促す（Ｓ７６７）。
【００５９】
被検査者が操作部３１４から入力する測定条件を確認し（Ｓ７７０）、空腹時測定の場合は（Ｓ７７１）、測定血糖値を１４０mg／dl以上、１４０mg／dl未満１２０mg／dl以上、１２０mg／dl未満に分類する解析を行い、一方食後２時間での測定である応答を受けた場合（Ｓ７７２）、通信ユニット制御部３１１は測定血糖値を２００mg／dl以上、２００mg／dl未満１７０mg／dl以上、１７０mg／dl未満に分類する解析を行う。解析結果は入力された測定条件とともに表示部３１５へ表示する。表示されたすべてのデータは通信ユニットメモリ部３１２へ格納する（Ｓ７７３）。
【００６０】
次に、測定した生体信号データを医療機関に送信するか否かを表示部３１５を介して被検査者へ確認して（Ｓ７８０）、送信の指示があった場合（Ｓ７８０のＹ）、通信ユニット制御部３１１は通信ユニットメモリ部３１２に格納する生体信号データをデータ形式変換部３３０で公衆通信回線に適合する信号形式に生体信号データを変換処理し、通信回線インタフェース部３３１から公衆通信回線１２０へ送出し、予め登録してある医療機関１３０へ測定した生体信号データを転送する（Ｓ７８１）。送信しない指示の場合（Ｓ７８０のＮ）、測定データは通信ユニットメモリ部３１２で格納された状態を維持する。
【００６１】
被検査者は生体信号データの測定の最後に測定電極２０１をセンサユニット１１１から除去する（Ｓ７２３）。該測定電極２０１の除去は電極検知部２１１で検知されて、電極検知部２１１から通信ユニットインタフェース部２３０を介して通信ユニット側へ電極の除去を伝達する。
【００６２】
このような本発明の第２の実施の形態の生体信号転送装置によれば、被検査者の指示を入力する入力手段と入力した指示を表示する表示手段と計時を行う計時手段と入力手段の指示を処理する制御手段とを備える通信ユニットと、通信ユニットの指示入力を受信して処理する制御手段を備えるセンサユニットと、で構成することにより、通信ユニットとセンサユニットとが接続されている場合に、測定のためのパラメータは通信ユニットから設定可能となる。
【００６３】
また、測定した生体信号データは直接通信ユニットの記憶手段へ格納することができ、さらに生体信号データは予め指定した医療機関等へ自動的に送信することができる。その間に使用者に求める操作は必要としないことから極めて簡易に取り扱うことができることになる。
【００６４】
尚、上記説明でセンサユニットメモリ部２１３へ格納することなく通信ユニット側へ送出すると説明したがセンサユニットメモリ部２１３へ格納して通信ユニットへ移送済みにしても同様に実施可能である。また測定対象生体信号は血糖値として説明したが血糖値測定に限定されるものではない。
【産業上の利用可能性】
【００６５】
以上のように、本発明にかかる生体信号転送装置は、センサユニットを通信ユニットに接続することで電源切断状態もしくは電源待機状態にある通信ユニットを電源起動状態に立ち上げ、さらにセンサユニット内に格納している生体信号データを通信ユニットへ自動的に移送することから操作の簡単化が図れる。
【００６６】
さらにセンサユニットと通信ユニットが接続されている場合に、生体信号データの測定は通信ユニットからパラメータ入力も可能で、被検査者の使用形態に拡張性と柔軟性を与えることができる。また、生体信号データは通信ユニットで一元的に管理し、予め指定した医療機関等へ自動的に送信できることから測定した生体信号データの取扱いを容易にする。従って生体信号を測定し、測定した生体信号を通信回線を介して医療機関等へ転送する生体信号転送装置等として有用である。
【図面の簡単な説明】
【００６７】
【図１】本発明の実施の形態１における生体信号転送装置の構成図
【図２】本発明の実施の形態１における生体信号転送装置のセンサユニット機能ブロック図
【図３】本発明の実施の形態１における生体信号転送装置のセンサユニットの動作シーケンス図
【図４】本発明の実施の形態１における生体信号データの構成の一例図
【図５】本発明の実施の形態１における生体信号転送装置の通信ユニット機能ブロック図
【図６】本発明の実施の形態１における生体信号転送装置の動作シーケンス図
【図７】本発明の実施の形態２における生体信号転送装置の動作シーケンス図
【図８】従来の生体信号転送装置の構成図
【符号の説明】
【００６８】
１００    生体信号被検査者
１１０    生体信号転送装置
１１１    センサユニット
１１２    通信ユニット
１２０    通信回線網
１３０    医療機関
２０１    測定電極
２１０    測定部
２１１    電極検知部
２１２    センサユニット制御部
２１３    センサユニットメモリ部
２１４    生体信号データ格納検知部
２１５，３１３    計時部
２１６，３１５    表示部
２１７，３１４    操作部
２２０    接続状態検知部
３２０    電源部
２３０    通信ユニットインタフェース部
３１０    センサユニットインタフェース部
３１１    通信ユニット制御部
３１２    通信ユニットメモリ部
３２０    ユニット接続検知部
３２１    電力制御部
３２２    電源部
３３０    データ形式変換部
３３１    通信回線インタフェース部
４１０    生体信号データ
【図１】
2007037822.tif 000003
【図２】
2007037822.tif 000004
【図３】
2007037822.tif 000005
【図４】
2007037822.tif 000006
【図５】
2007037822.tif 000007
【図６】
2007037822.tif 000008
【図７】
2007037822.tif 000009
【図８】
2007037822.tif 000010